(57)【特許請求の範囲】
【請求項１】
下面に脚体が設けられこの脚体によって所定の高さに保持されたクッション体と、
このクッション体の所定方向一側に設けられる背凭れ体を具備し、
この背凭れ体は、先端部に上方に向かって屈曲した係合部が形成され、中途部には上記係合部が上記クッション体の下面に係合するよう上記係合部を所定の高さで支持する支持部材が設けられ上記クッション体の下面側にスライド可能に挿入される第１の挿入部と、上記クッション体の上面側に突出すると共にその突出部分に背凭れ用クッションが設けられた第１の取付部とを有する背凭れフレームがパイプ材を曲成して形成されていることを特徴とするソファー装置。
【請求項２】
下面に脚体が設けられこの脚体によって所定の高さに保持されたクッション体と、
このクッション体の所定方向一側に設けられる背凭れ体を具備し、
この背凭れ体は、先端部分が下方に向かってＵ字状に湾曲した湾曲部に形成されこの湾曲部が上記クッション体の下面側にスライド可能に挿入されて上記クッション体の下面に係合する第１の挿入部と、上記クッション体の上面側に突出すると共にその突出部分に背凭れ用クッションが設けられた第１の取付部とを有する背凭れフレームがパイプ材を曲成して形成されていることを特徴とするソファー装置。
【請求項３】
上記クッション体の上記所定方向と交差する方向の両側のうちの、少なくとも一側には肘掛け体が設けられ、この肘掛け体は、上記クッション体の下面側にスライド可能に挿入されてその下面に係合する第２の挿入部と、上記クッション体の上面側に突出すると共にその突出部分に肘掛け用クッションが設けられた第２の取付部とを有するフレームがパイプ材を曲成して形成されてなることを特徴とする請求項１又は請求項２記載のソファー装置。
【発明の詳細な説明】
【０００１】
【発明の属する技術分野】
この発明は背凭れ体を有するソファー装置に関する。
【０００２】
【従来の技術】
一般に、ソファー装置は、平面形状が矩形状に形成されたクッション体を有し、このクッション体の奥行き方向の一側（前後方向の後方）には背凭れ体が設けられ、左右方向（幅方向）の両側には肘掛け体が設けられている。上記背凭れ体は、上記クッション体に取り付けられる部分と、上記クッション体の上面側に突出して利用者が寄り掛かる部分とを有する。
【０００３】
上記クッション体の上面に着座した利用者は、上記背もたれ体に寄り掛かることで楽な姿勢をとることができる。その場合、上記背もたれ体の寄り掛かる部分がクッション体の奥行き方向に対して任意に位置決めできれば、その位置によって利用者は着座姿勢を変えることができるから、便利である。
【０００４】
【発明が解決しようとする課題】
しかしながら、従来のソファー装置は、上述したように背凭れ体がクッション体と一体的、つまり固定して設けられている。そのため、背凭れ体を利用者に応じてクッション体の奥行き方向に対して位置決めし、利用者が所望する着座姿勢をとることができるように調整することができないため、不便であった。
【０００５】
また、ソファー装置にはベッドに変換して利用すことができる、いわゆるソファーベッドがあることが知られている。従来のソファーベッドはクッション体を２つに分割し、これらクッション体をヒンジ機構によって水平な状態と、所定の角度に屈曲した状態とで保持できるようになっている。
【０００６】
分割された２つのクッション体を水平にしてベッドとして利用する場合、２つのクッション体の接合部分に溝が生じるから、その溝によってベッドとしての性能が大きく低下してしまうということがあった。
【０００７】
この発明は、クッション体の上面側に位置する背凭れ体を利用者に応じて容易に位置決めすることができ、しかも背凭れ体を除去して寝心地のよいベッドとして利用することもできるようにしたソファー装置を提供することにある。
【０００８】
【課題を解決するための手段】
請求項１の発明は、下面に脚体が設けられこの脚体によって所定の高さに保持されたクッション体と、
このクッション体の所定方向一側に設けられる背凭れ体を具備し、
この背凭れ体は、先端部に上方に向かって屈曲した係合部が形成され、中途部には上記係合部が上記クッション体の下面に係合するよう上記係合部を所定の高さで支持する支持部材が設けられ上記クッション体の下面側にスライド可能に挿入される第１の挿入部と、上記クッション体の上面側に突出すると共にその突出部分に背凭れ用クッションが設けられた第１の取付部とを有する背凭れフレームがパイプ材を曲成して形成されていることを特徴とするソファー装置にある。
【０００９】
請求項２の発明は、下面に脚体が設けられこの脚体によって所定の高さに保持されたクッション体と、
このクッション体の所定方向一側に設けられる背凭れ体を具備し、
この背凭れ体は、先端部分が下方に向かってＵ字状に湾曲した湾曲部に形成されこの湾曲部が上記クッション体の下面側にスライド可能に挿入されて上記クッション体の下面に係合する第１の挿入部と、上記クッション体の上面側に突出すると共にその突出部分に背凭れ用クッションが設けられた第１の取付部とを有する背凭れフレームがパイプ材を曲成して形成されていることを特徴とするソファー装置にある。
【００１１】
請求項３の発明は、上記クッション体の上記所定方向と交差する方向の両側のうちの、少なくとも一側には肘掛け体が設けられ、この肘掛け体は、上記クッション体の下面側にスライド可能に挿入されてその下面に係合する第２の挿入部と、上記クッション体の上面側に突出すると共にその突出部分に肘掛け用クッションが設けられた第２の取付部とを有するフレームがパイプ材を曲成して形成されてなることを特徴とする請求項１又は請求項２記載のソファー装置にある。
【００１２】
請求項１と請求項２の発明によれば、背凭れ体は、第１の挿入部がクッション体の下面側にスライド可能に挿入保持されているため、その背凭れ用クッションをクッション体に対して位置決めしたり、取り外すことができる。
【００１３】
請求項３の発明によれば、クッション体に背凭れ体だけでなく、肘掛け体を設けた場合、この肘掛け体も背凭れ体と同様、クッション体に対して位置決めしたり、取り外すことができる。
【００１４】
【発明の実施の形態】
以下、この発明の実施の形態を図面を参照して説明する。
【００１５】
図１乃至図６はこの発明の第１の実施の形態を示す。
【００１６】
図１に示すソファー装置は平面形状が長方形状をなしたクッション体１を備えている。このクッション体１は図３と図４に示すように長方形状の基板２を有し、この基板２の下面四隅部には基板２を所定の高さで支持するために脚体３が設けられている。
【００１７】
上記基板２の上面には、多数のコイルスプリング４を行列状に連結して形成されたスプリングユニット５が配置されている。このスプリングユニット５の上面及び外周面は外装体６で被覆されている。なお、図示はしないが、スプリングユニット５の上面と外装体６との間には、ウレタンフォームなどのシート状の弾性材が重合されている。
【００１８】
上記クッション体１の奥行き方向（前後方向）の後方には一対の背凭れ体７が設けられ、奥行き方向と交差する幅方向（左右方向）の両側にはそれぞれ肘掛け体８が設けられている。
【００１９】
上記背凭れ体７は、図５に示すようにパイプ材を側面形状がほぼＬ字状となるよう曲成し、一端部をほぼ水平な第１の挿入部１１、他端部を第１の挿入部１１に対して９０度よりもわずかに小さな角度の第１の取付部１２とした背凭れフレーム１３を有する。
【００２０】
上記第１の挿入部１１は、先端部が上方に向かって屈曲された係合部１４に形成され、中途部には第１の挿入部１１を所定の高さで支持するための支持部材１５が一対の連結杆１５ａによって上記第１の挿入部１１の幅方向に沿って設けられている。
【００２１】
上記第１の取付部１２の先端部（上端部）は第１の挿入部１１の先端部側に向かってほぼＬ字状の連結部１６に屈曲され、この一対の連結部１６には帯状の取付板１７が取り付けられている。そして、この取付板１７には背凭れ用クッション１８が保持されている。
【００２２】
このように構成された背凭れ体７は、クッション体１の後方側から第１の挿入部１１をクッション体１の下面側の空間部に挿入して配置される。第１の挿入部１１をクッション体１の下面側に挿入すると、この第１の挿入部１１の先端部に形成された係合部１４がクッション体１の基板２の下面に当接係合し、また背凭れ用クッション１８がクッション体１の上面側に位置することになる。
【００２３】
それによって、背凭れ体７は、第１の挿入部１１の中途部に設けられた支持部材１５と基板２の下面に当接した係合部１４とによって支持される。そして、クッション体１上に着座した利用者Ｕが背凭れ用クッション１８に寄り掛かれば、背凭れ用クッション１８が設けられた第１の取付部１２が支持部材１５を支点として後方へ弾性的に変形して利用者Ｕを支持するようになっている。
【００２４】
上記第１の挿入部１１は基板２の下面側の空間部にスライド可能に挿入されている。そのため、第１の挿入部１１の挿入量によってクッション体１の前後方向における背凭れ用クッション１８の位置を変えることができる。つまり、利用者Ｕの体格や好み、あるいはどのような姿勢をとるかなどの条件によってクッション体１上における背凭れ用クッション１８の位置決めができる。
【００２５】
図３に示すように、上記肘掛け体８は背凭れ体７と同様、パイプ材によって第２の挿入部２１と第２の取付部２２とが一体形成されたフレーム２３を有する。第２の挿入部２１の先端部は上方に向かって屈曲された係合部２４に形成され、中途部には第２の挿入部２１を所定の高さで支持するための支持部材２５が一対の連結杆２６によって幅方向に沿って設けられている。
【００２６】
上記第２の取付部２２の上端には帯板状の取付板２７が第２の挿入部２１の先端側に向かってわずかに低くなるよう傾斜して取り付けられている。そして、この取付板２７には肘掛け用クッション２８が設けられている。
【００２７】
上記第２の挿入部２１をクッション体１の下面側に挿入すると、その先端部に設けられた係合部２４が基板２の下面に係合するから、肘掛け体８は係合部２４と支持部材２５とによってクッション体２の下面側に保持される。そして、上記肘掛け用クッション２８はクッション体１の上面に接合あるいは接近位置することになる。
【００２８】
したがって、肘掛け体８は、第２の挿入部２１の挿入量によってクッション体１の幅方向に対する肘掛け用クッション２８の位置を設定できるようになっている。
【００２９】
このように構成されたソファー装置によれば、クッション体１の後方に設けられた一対の背凭れ体７及び幅方向両側に設けられた一対の肘掛け体８は、これらの第１、第２の挿入部１１，２１が基板２の下面側の空間部にスライド自在に挿入されている。
【００３０】
そのため、背凭れ用クッション１８と肘掛け用クッション２８とのクッション体１の上面における位置を利用者Ｕの体格や使用時の好みなどに応じて変更することができる。
【００３１】
たとえば、背もたれ用クッション１８の位置を、クッション体１の前後方向前方に対して位置決めすることで、クッション体１上に着座して背もたれ用クッション１８に寄り掛かる利用者Ｕの上半身の角度を変えることができる。
【００３２】
また、一対の背もたれ体７の背もたれ用クッション１８を、図２に鎖線で示すようにクッション体１の上面から除去すれば、このクッション体１の上面をベッド面として利用することができる。つまり、ソファー装置をベッドとして利用する場合に、背もたれ体７が邪魔になら内容、クッション体１の上面から退避させることができる。
【００３３】
その場合、一対の肘掛け体８も図２に鎖線で示すようにクッション体１の幅方向外方へスライドさせれば、ベッド面の長さを十分に確保することができる。しかも、肘掛け体８のスライド量によっては、一方の肘掛け体８の肘掛け用クッション２８を枕として利用することができ、他方の肘掛け用クッション２８を足部を高く保持するための足載せとして利用することができる。
【００３４】
すなわち、一対の背凭れ体７と肘掛け体８とを、クッション体１に対してスライド可能な状態で保持できるようにしたから、これら背凭れ体７と肘掛け体８との使用形態に制限を受けることがない。つまり、背凭れ体７や肘掛け体８として利用できることは勿論であるが、利用しない場合には邪魔にならないよう取り除いたり、位置を変えるなどのことが可能である。
【００３５】
図７と図８は背凭れ体７に用いられる背凭れフレーム１３Ａの変形例を示す第２の実施の形態である。すなわち、この背凭れフレーム１３Ａは、一対のパイプ材を側面形状がほぼＬ字状となるよう曲成することで、第１の挿入部１１Ａと第１の取付部１２Ａとが形成されている。
【００３６】
第１の挿入部１１Ａの先端部は下方に向かってＵ字状に曲成された湾曲部３１となっており、この湾曲部３１の下端となる末端は連結杆３２によって連結されている。
【００３７】
第１の取付部１２Ａの上端は、上記第１の実施の形態と同様、連結部１６が形成され、この一対の連結部１６に帯状の取付板１７が連結されてなる。
このような構成の背凭れフレーム１３Ａは、第１の挿入部１１Ａをクッション体１の下面側の空間部に挿入すると、湾曲部３１の先端部の上端が基板２の下面に当接係合する。
【００３８】
したがって、利用者Ｕが第１の取付部１３Ａの上端部に設けられた背凭れ用クッション１８に寄り掛かれば、背凭れフレーム１３Ａは、上記湾曲部３１の上端が基板２の下面に当接し、連結杆３２を支点として湾曲部３１が弾性的に変形することになる。
【００３９】
したがって、上記第１の実施の形態と同様、クッション体１上に着座した利用者Ｕが背凭れ用クッション１８Ａに寄り掛かれば、背凭れ用クッション１８Ａが設けられた第１の取付部１２Ａは後方へ弾性的に変位して利用者Ｕを支持することになる。
【００４０】
図９は背凭れフレーム１３Ｂのさらに他の変形例を示す第３の実施の形態である。この実施の形態は、第１の挿入部１１Ｂの先端部がほぼＵ字状の湾曲部３１に曲成されているという点で第２の実施の形態と同様であるが、背凭れフレーム１３Ｂの側面形状がパイプ材をほぼ半円形状に曲成されているという点で第２の実施の形態と相違している。つまり、パイプ材の半円形状に曲成された下端側の部分が第１の挿入部１１Ｂで、上端側の部分が第１の取付部１２Ｂとなっている。
【００４１】
この発明は、上記各実施の形態に限定されるものでない。たとえば、肘掛け体のフレームは、側面形状がほぼＬ字状に限られず、背凭れ体のフレームと同様、第２の実施の形態や第３の実施の形態に示されたような形状のものであってもよい。
【００４２】
【発明の効果】
請求項１と請求項２の発明によれば、背凭れ体は、第１の挿入部がクッション体の下面側にスライド可能に挿入保持されているため、その背凭れ用クッションをクッション体に対して位置決めしたり、取り外すことができる。
【００４３】
そのため、上記背凭れ体を利用者が利用し易い状態に位置決めして利用することができるばかりか、クッション体の上面をベッド面として利用する場合には背凭れ体が邪魔にならないよう、取り除いたり、ベッド面から退避させることができる。
【００４４】
また、請求項１の発明によれば、第１の挿入部の中途部に支持部材を設け、この支持部材によって第１の挿入部を所定の高さで支持するようにした。
【００４５】
そのため、利用者が背凭れ用クッションに寄り掛かると、背凭れフレームは上記支持部材を支点として後方へ揺動し、それによって第１の挿入部の先端部がクッション体の下面に当接するから、第１の挿入部をクッション体の下面側の空間部に挿入するだけであっても、使用中に第１の挿入部がクッション体から抜け出るようなことがない。
【００４６】
また、請求項２の発明によれば、第１の挿入部の先端部分を下方に向かってＵ字状に曲成されると共にクッション体の下面に係合する湾曲部とした。
【００４７】
そのため、利用者が背凭れ用クッションに寄り掛かると、背凭れフレームは湾曲部の下端部を支点として後方へ揺動し、湾曲部の上端部がクッション体の下面に当接するから、第１の挿入部をクッション体の下面側の空間部に挿入するだけであっても、使用中に第１の挿入部がクッション体から抜け出るようなことがない。
【００４８】
請求項３の発明によれば、クッション体に背凭れ体だけでなく、肘掛け体を背凭れ体と同様に設けるようにした。
【００４９】
そのため、肘掛け体も背凭れ体と同様、クッション体に対して位置決めしたり、取り外すことができる。
【図面の簡単な説明】
【図１】この発明の第１の実施の形態を示すソファー装置の斜視図。
【図２】同じく平面図。
【図３】同じくクッション体の幅方向に沿う断面図。
【図４】同じくクッション体の前後方向に沿う断面図。
【図５】同じく背凭れ体のフレームの斜視図。
【図６】同じく背凭れ体のフレームの側面図。
【図７】この発明の第２の実施の形態を示す背凭れ体のフレームの斜視図。
【図８】同じく側面図。
【図９】この発明の第３の実施の形態を示す背凭れ体のフレームの側面図。
【符号の説明】
１…クッション体
３…脚体
７…背凭れ体
１１…第１の挿入部
１２…第１の取付部
１３…背凭れフレーム
１８…背凭れ用クッション
【図１】
0003673430.tif 000002
【図２】
0003673430.tif 000003
【図３】
0003673430.tif 000004
【図４】
0003673430.tif 000005
【図５】
0003673430.tif 000006
【図６】
0003673430.tif 000007
【図７】
0003673430.tif 000008
【図８】
0003673430.tif 000009
【図９】
0003673430.tif 000010